(57)【特許請求の範囲】
【請求項１】
ケース本体と該ケース本体をイクイプメントベルトに装着するための装着具とからなり、ケース本体に収められる物品の縦軸線に対応する位置上に設けられた接続具を介して前記装着具とケース本体とを回転可能に、且つ一定の間隙をあけて取り付け、該装着具の一側における接続具の近傍位置に膨出部を形成して第１のスナップボタンを設け、接続具の側方において前記ケース本体の装着具と対向する面に略三角形の回り止め板を固着し、該回り止め板の内部に補強板を装填すると共に、回り止め板の一頂部に第２のスナップボタンを設け、該第１のスナップボタンと第２のスナップボタンとの嵌合により装着具に対するケース本体の角度を正規位置に保持するようにしたことを特徴とするホルスター。
【請求項２】
補強板が回り止め板と略相似形の鋼板からなることを特徴とする請求項１に記載されたホルスター。
【発明の詳細な説明】
【０００１】
【発明の属する技術分野】
本発明は、拳銃、警棒、工具等を収納して吊持するに好適なホルスターに関する。
【０００２】
【従来の技術】
本出願人は、先に、ケース本体とケース本体をイクイプメントベルトに装着する装着具とを接続具を介して回転可能に、かつ間隙をあけて取り付け、装着具の一側に形成された膨出部に第１のスナップボタンを装着し、接続具の側方においてケース本体に舌片部材の基部を固着すると共に、その先端に第２のスナップボタンを設け、第１のスナップボタンと第２のスナップボタンとの嵌合によってケース本体の角度を正規位置に保持するようにしたホルスターを特願平６−２９５９６９号として提案した。
【０００３】
このホルスターによれば、着用者が腰掛ける場合等に、ケース本体の角度を変えてその先端部がシートに干渉するのを防ぐことができるばかりでなく、ケース本体と装着具との間に形成された間隙に上着のポケットの雨蓋をたくしこむことができて体裁が良い。
しかも、ケース本体の先端が物品に当たって、接続具の周りに回転モーメントが作用しても、第１のスナップボタンと第２のスナップボタンとが係合しているため、ケース本体の回動が抑制されると共に、ケース本体と装着具との対向面間の距離が、物品の出し入れに基づくケース本体の膨縮や捩じれによって多少変化しても、舌片部材の先端部がケース本体に対して揺動し、ケース本体と装着具との相対的な移動を吸収するため、第１のスナップボタンと第２のスナップボタンとが予期せず外れるのを防ぐことができるという様々な利点を有する。
【０００４】
ところで、この舌片部材はケース本体の外部に露出されているので、体裁を良くし、発錆を防ぐために通常ケース本体と同じ材質の皮革等で形成されており、従って、長期間使用して皮革が柔らかくなったり、接続具の周囲に作用する回転モーメントがあまり強いと、舌片部材が捩れて第１のスナップボタンと第２のスナップボタンとの嵌合が解除されることがある。
その結果、ケース本体が不意に回転して、内部に収納されている物品が落下したり、ケース本体が傾斜してその先端が邪魔になるという事態が起こりかねない。
【０００５】
【発明が解決しようとする課題】
本発明の目的は、上記従来のホルスターを改良し、長期間使用して皮革が疲労したり、ケース本体に強い回転モーメントが加わっても、ケース本体が不測の回動を起こすことのないホルスターを提供することにある。
【０００６】
【課題を解決するための手段】
本発明は、ホルスターに関し、ケース本体と該ケース本体をイクイプメントベルトに装着するための装着具とからなる。ケース本体に収められる物品の縦軸線に対応する位置上に設けられた接続具を介し、装着具とケース本体とを回転可能に、且つ一定の間隙を空けて取り付ける。装着具の一側における接続具の近傍位置に膨出部を形成して第１のスナップボタンを設ける。ケース本体の装着具と対向する面に略三角形の回り止め板を固着する。回り止め板の内部に補強板を装填すると共に、回り止め板の一頂部に第２のスナップボタンを設ける。
第１のスナップボタンと第２のスナップボタンとの嵌合により装着具に対するケース本体の角度を正規位置に保持する。回り止め板の三角形の形状及び補強板によって接続具の周囲に作用する回転モーメントに抗する力が増大し、皮革の劣化に基づく強度の低下を防ぐ。
【０００７】
回り止め板と略相似形の鋼板で補強板が形成されることがある。
【０００８】
【発明の実施の形態】
以下、図面を参照して本発明の実施形態を説明する。図２は本発明の構成を適用した拳銃ホルスター２０１の概略を示す正面図（一部は透視図）、図３は同背面図（一部は透視図）、図３は拳銃ホルスター２０１の一部を構成するケース本体２０３のみを示す背面図であり、図３においては、ケース本体２０３に収められる拳銃のバレル軸線に対応する位置を一点鎖線Ａで示している。
【０００９】
図１および図２に示す通り、本実施例の拳銃ホルスター２０１は、拳銃を収納するケース本体２０３と該ケース本体２０３をイクイプメントベルトに装着するための装着具２０２とからなり、拳銃のバレル軸線に対応する位置上には接続具２０４が設けられ、該接続具２０４を介して装着具２０２とケース本体２０３とが回転可能にかつ一定の間隙をあけて取り付けられている。
装着具２０２とケース本体２０３の素材は、従来と同様、型成形等により形状を整えられた皮革または裁断縫合されたバリスティッククロス等を任意に選択して使用することができる。
【００１０】
接続具２０４は、装着具２０２に対するケース本体２０３の回転角度を簡易的に固定するクリックストップ機構により構成され、装着具２０２の側に設けられたクリック回転装置本体２０４ａと、ケース本体２０３の側に設けられた接続板２０４ｂ（図１参照）と、クリック回転装置本体２０４ａと接続板２０４ｂを接続する回転軸２０５とを備える。
ケース本体２０３及び装着具２０２の対向面間の間隙の大きさは、回転軸２０５の長さによって決定されるが、当然、この間隙の大きさは上着のポケットの雨蓋をたくしこむのに必要な程度の大きさとする。なお、クリック回転装置本体２０４ａのフレームは装着具２０２の表皮２０７と裏皮２０８との間に縫い込まれており、装着具２０２のシャンクとしての機能を兼ね備える。
【００１１】
接続具２０４となるクリック回転装置は、クリック回転装置本体２０４ａに対して回転軸２０５を２か所のクリックストップ位置で簡易固定することができる。これらのクリックストップ位置は互いに６０°の角度をもって回転した位置にある。つまり、回転軸２０５に固着されたケース本体２０３は、装着具２０２に対して６０°の角度で回転した位置にある２か所のクリックストップ位置において簡易固定されることになる。そして、そのクリックストップ位置の１方は、図３に示されるような拳銃のバレル軸線がほぼ垂直方向に沿うケース本体２０３の正規位置に対応する。
【００１２】
この正規位置からケース本体２０３を図３において時計方向に６０°回転させると、ケース本体２０３の外形輪郭上の点ＰとＱとを結ぶ直線がほぼ水平となる状態、要するに、回転軸２０５よりも下に突出するケース本体２０３の長さが最も短くなる状態となる。
なお、ケース本体２０３を正規位置から６０°回転させても、拳銃の銃身は水平よりやや下向きに傾斜することになるので、暴発事故の際の危険性を最小限に抑えることができる。
【００１３】
回転軸２０５よりも下に突出するケース本体２０３の長さが最小となる最初の回転角度は、拳銃の種別やバレル長、要するに、ケース本体２０３の形状によっても相違するので、拳銃の種別やバレル長に応じて専用の拳銃ホルスター２０１を製造するような場合では、クリック回転装置におけるクリックストップの回転角度をそれに応じて決めることが望ましい。
【００１４】
装着具２０２の一側には図３に示されるように膨出部２０９が形成され、その表側にメスまたはオスの第１のスナップボタン２１０が設けられている。第１のスナップボタン２１０は接続具２０４（より厳密にいえば回転軸２０５）の近傍位置に設ける必要があり、たとえ装着具２０２の一側ではあっても、装着具２０２の上方側の位置に設けたのでは意味がない。最も望ましい態様は図２において第１のスナップボタン２１０が回転軸２０５と同じ高さ、もしくは、それよりも低くなるような位置に第１のスナップボタン２１０を取り付けられるように膨出部２０９を形成させることだが、後述する第２のスナップボタンの取り付け可能位置との兼ね合いもあるので、図３に示す例では、第１のスナップボタン２１０の取り付け位置が回転軸２０５の取り付け位置よりも僅かに高くなっている。
【００１５】
一方、図１に示すように、ケース本体２０３の装着具２０２と対向する面に、略三角形の回り止め板２１２が前記バレル軸線上から僅かに側方へずれた位置に固着される。回り止め板２１２の内部には、これと相似形のバネ鋼板あるいは焼入れリボン鋼板から成る補強板２１４が装填されている。
そして、回り止め板２１２は、その一頂部が接続具２０４と逆方向に突出すると共に該一頂部と対向する一辺がバレル軸線と略平行になるよう配置され、この一辺に沿って打ち込まれる３本のリベット２１３により装着具２０２に固着される。また、回り止め板２１２の前記一頂部に、第１のスナップボタン２１０に嵌合するオスまたはメスの第２のスナップボタン２１１が取り付けられている。これらリベット２１３及び第２のスナップボタン２１１は補強板２１４を貫通して装着される。
【００１６】
回り止め板２１２の固着位置（より厳密にいえば第２のスナップボタン２１１の取り付け位置）は前記した膨出部２０９と同様、回転軸２０５と同じ高さ、もしくは、それよりも低くできればそれに越したことはないが、拳銃ホルスター２０１をイクイプメントベルトに装着した時のケース本体２０３の高さ及びケース本体２０３の形状等に応じて、前記した要件を可能な限り満たすべく、適宜位置に装着する。
【００１７】
ケース本体２０３には、収納した拳銃のハンマーもしくはグリップ基部に巻回して拳銃の位置ずれや脱落を防止するためのストラップ２１５、および、フラップ２１６が従来と同様にして設けられている。
【００１８】
以下、この拳銃ホルスター２０１の使用方法について説明する。
まず、拳銃ホルスター２０１を装着する際には、装着具２０２の上端を外側から上着のスリットに差し込み、上部側ループ構成要素１０４と下部側ループ構成要素１０７とを接続するスナップボタン１０５を外して、装着具２０２と下部側ループ構成要素１０７との間にイクイプメントベルトを挟みこむようにして再びスナップボタン１０５を止め、装着具２０２をイクイプメントベルトに取り付ける。
取り付け完了後、前記したスリットの上部に位置する上着の雨蓋２１７をケース本体２０３と装着具２０２との間に形成された間隙にたくしこむ。
【００１９】
この拳銃ホルスター２０１によれば、ケース本体２０３と装着具２０２との間で雨蓋２１７が挾圧されることがないので、雨蓋２１７の位置が拳銃ホルスター２０１によって拘束されることはない。従って、雨蓋２１７は上着の着用者の姿勢変化等に応じて適宜自然な位置に移動することができ、服装の乱れが防止される。
【００２０】
更に、拳銃ホルスター２０１を体に装備したままケース本体２０３の先端やフラップ２１６等をものにぶつけるなり引っ掛けるなりしたような場合であっても、ケース本体２０３側の第２のスナップボタン２１１と装着具２０２側の第１のスナップボタン２１０との嵌合によりケース本体２０３の向きが図２に示されるような正規位置に保持される。
また、第２のスナップボタン２１１が装着される回り止め板２１２の一頂部は先端から基部に向かって次第に広くなっており、しかも内部に補強板２１４が装填されているので、ケース本体２０３を回転させようとするモーメントに対する抵抗力が非常に高い。従って、上記モーメントが大きかったり、回り止め板２１２を構成する皮革が疲労して柔らかくなっていても、前記一頂部がその根元から捩じれて第１のスナップボタン２１０と第２のスナップボタン２１１とが外れる心配がない。
【００２１】
また、ケース本体２０３の先端やフラップ２１６等に極端な力が作用したような場合では、ケース本体２０３に撓みや捩じれが生じ、該ケース本体２０３の外周部が装着具２０２から浮き上がるようにして離間するといった可能性もある。
【００２２】
しかし、このような場合でも、回転軸２０５においてケース本体２０３と装着具２０２が固定されているので、ケース本体２０３と装着具２０２との間隔は固定軸２０５に近い部分ではさほど広くならない。
【００２３】
そして、第２のスナップボタン２１１を取り付けた回り止め板２１２は回転軸２０５の近傍でケース本体２０３に固着され、しかも、回り止め板２１２自体も第２のスナップボタン２１１の装着部分である一頂部がケース本体２０３に対してやや揺動することができるので、ケース本体２０３を装着具２０２から引き剥がすような力が加わっても、第１のスナップボタン２１０と第２のスナップボタン２１１との嵌合は保持され、ケース本体２０３の正規位置が保証される。
【００２４】
回り止め板２１２を仲立ちとした正規位置保持方法は、拳銃の収納および取り出しによって生じるケース本体２０３の膨らみの変化、更には、経年変化等によるケース本体２０３自体の形状変化に対しても前記と同様の順応性があり、ケース本体２０３の正規位置が常に保持され得る。
【００２５】
また、拳銃ホルスター２０１を装備したまま自動車のシート等に座るような場合は、回り止め板２１２の前記一頂部を摘んで装着具２０２側の第１のスナップボタン２１０からケース本体２０３側の第２のスナップボタン２１１を引き剥がす。そして、ケース本体２０３を把持して強く捻るようにして回転させることにより、該ケース本体２０３を図２の基準で時計方向に６０°回転させ、回転軸２０５から下のケース本体２０３の突出量を最小にしてシートに腰掛ける。
すると、ケース本体２０３の回転によりその実質的な全長が短縮されるので、ケース本体２０３の先端がシート等に当たることはなく、イクイプメントベルトが押し上げられることによって生じる肉体的な不快感、および、シート等の傷みが防止される。また、接続具２０４としてクリック回転装置を採用しているので、ケース本体２０３の回転位置は、このクリック回転装置によりそのまま６０°の位置に簡易的に保持される。
【００２６】
そして、再び自動車から降りて立ち上がるような場合には、ケース本体２０３の位置を図２に示すような正規位置に戻す必要がある。この場合は、前記とは逆に、ケース本体２０３を把持して図２の基準で反時計方向に６０°回転させ、ケース本体２０３を正規位置に戻す。更に、回り止め板２１２の前記一頂部と装着具２０２の膨出部２０９とを指先で挟んで強く押し付け、再び第１のスナップボタン２１０と第２のスナップボタン２１１とを嵌合させる。
【００２７】
この時、クリック回転装置によるクリックストップ位置の１方がケース本体２０３の正規位置に一致しているので、ケース本体２０３の先端を下に向けてクリックストップを作動させれば、自動的にスナップボタン２１０に対するスナップボタン２１１の位置決めが行われることになる。従って、利用者は手探りで回り止め板２１２もしくは膨出部２０９を探り当て、これらを適当に挾圧するだけでスナップボタン２１０とスナップボタン２１１とを嵌合させることができ、便利である。
【００２８】
また、第２のスナップボタン２１１をケース本体２０３に直付けしたような場合では、ケース本体２０３を外側から押圧して装着具２０２に押し付けるか、もしくは、装着具２０２の膨出部２０９をその裏面側からケース本体２０３に押し付けることにより第１のスナップボタン２１０と第２のスナップボタン２１１とを嵌合させなければならなくなるが、いずれの場合も、その押圧力に応動してケース本体２０３の裏面が拳銃のトリガーガード部分に突入する形で変形して第２のスナップボタン２１１が沈みこむようになり、ボタンの嵌合がうまく行かない。
これに対し、この拳銃ホルスター２０１では、回り止め板２１２と膨出部２０９を強圧することによって、第２のスナップボタン２１１を直に第１のスナップボタン２１０に押し付けられるようになっており、また、補強板２１４を装填したことにより回り止め板２１２の剛性が高められているので、その嵌合操作をより円滑に行うことができる。
【００２９】
なお、本発明を警棒、工具等を収納するホルスターに応用することも可能である。この時は、当然、ケース本体の形状、接続具及び回り止め板の装着位置等を変えなければならず、接続具を構成するクリックストップ機構の回転角度を収納される物品の長さに応じて６０°以外とすることも可能である。
【００３０】
【発明の効果】
本発明のホルスターは、装着具との間に一定の間隙を空けてケース本体を装着具に取り付けるようにしているので上着のポケットの雨蓋をケース本体と装着具との間に容易にたくしこむことができ、しかも、ケース本体の回転位置を正規位置に固定するための第１，第２のスナップボタンは装着具の一側に設けるようにしているので、ケース本体と装着具との間の間隙に突出物が介在せず、雨蓋の先端を接続具の近傍までたくしこむことが可能となる。
【００３１】
また、装着具とケース本体との間で雨蓋が挾圧されることがないので、着用者の姿勢変化等に応じ、常に最適な位置に上着のポケットの雨蓋が位置することができ、雨蓋の位置の異常や上着の引きつり等といった服装の乱れが防止される。
【００３２】
更に、回り止め板を三角状とし、その一頂部に第２のスナップボタンを配備して装着具側の第１のスナップボタンと嵌合させるようにすると共に、回り止め板の内部に補強板を装填しているので、接続具を中心とする回転モーメントに抵抗する能力が極めて高く、このため、ケース本体を物品に引っ掛ける等してケース本体に非常に大きい回転モーメントが作用したり、回り止め板の本体を構成する素材が疲労しても、回り止め板の一頂部がその根元から捩じれてケース本体の回転を抑制することができなくなったり、第１スナップボタンと第２スナップボタンが意に反して解除されることがない。その結果、ケース本体が不意に回転して内部に収納された物品が落下したり、傾斜したケース本体が着用者の前後に張り出して歩行の邪魔になるのを防ぐことができる。
【００３３】
また、回り止め板の内部に装填された補強板によって回り止め板の剛性が高まるので、第１スナップボタンと第２スナップボタンの着脱操作を行いやすい。
【図面の簡単な説明】
【図１】本発明の一実施形態に係るホルスターのケース本体の概略を示す正面図
【図２】同実施形態を示すホルスターの正面図
【図３】同実施形態を示すホルスターの背面図
【符号の説明】
１０４  上部側ループ構成要素
１０５  スナップボタン
１０７  下部側ループ構成要素
２０１  ホルスター
２０２  装着具
２０３  ケース本体
２０４  接続具
２０４ａ  クリック回転装置本体
２０４ｂ  接続板
２０５  回転軸
２０７  表皮
２０８  裏皮
２０９  膨出部
２１０  第１のスナップボタン
２１１  第２のスナップボタン
２１２  回り止め板
２１３  リベット
２１４  補強板
２１５  ストラップ
２１６  フラップ
２１７  上着のポケットの雨蓋
【図１】
0003636798.tif 000002
【図２】
0003636798.tif 000003
【図３】
0003636798.tif 000004